(57)【要約】【課題】商品の収納位置が偏ることのない商品収納領域を画成し、かつ、画成した商品収納領域を常に再現する。【解決手段】扉体１６に設けた係合片１６２と、扉体１６がラックケース１１の内方に進入した閉塞位置を含む複数の閉塞位置にて当該扉体１６を係止するように係合片１６２を係合する複数の係合溝１７３ａ，１７３ｂとからなる係止手段を備える。係止手段は、扉体１６を移動させることで扉体１６と第２規制部材１５２との間で商品Ｗの長さ方向をラックケース１１のほぼ中央に位置させる態様で商品収納領域を画成する。また、選択した係合溝１７３ａ（あるいは１７３ｂ）にのみ係合片１６２を係合するように他の係合溝１７３ｂ（あるいは１７３ａ）への係合片１６２の係合を阻止する係合案内部１９１を有した設定手段を備える。設定手段は、選択した扉体１６の閉塞位置を変えることがなく画成した商品収納領域を常に再現する。【選択図】        図６
2006011611.tif 000002
【特許請求の範囲】
【請求項１】
側部開口から商品を積み上げて収納されるラックケースと、前記ラックケースに収納した商品を支持する態様で前記側部開口を閉塞する閉塞位置に移動可能に設けた扉体と、前記扉体との間で商品の大きさに合わせた商品収納領域を前記ラックケース内に画成する規制部材とを有した自動販売機の商品収納ラックにおいて、
前記ラックケースの内方に進入した閉塞位置を含む複数の閉塞位置にて前記扉体を係止する係止手段と、
前記係止手段によって係止される前記扉体の閉塞位置を選択的に設定する設定手段と
を備えたことを特徴とする自動販売機の商品収納ラック。
【請求項２】
前記係止手段は、前記扉体に設けた係合片と、前記ラックケースに設けてあって前記扉体の複数の閉塞位置に対応して前記係合片を挿入係止する複数の係合溝とを有してなり、
前記設定手段は、選択した係合溝にのみ前記係合片を係合する態様で他の係合溝への前記係合片の係合を阻止する係合案内部を有してなる
ことを特徴とする請求項１に記載の自動販売機の商品収納ラック。
【発明の詳細な説明】
【技術分野】
【０００１】
本発明は、紙パック、缶、ビンあるいはペットボトルなどの各種商品を収納する自動販売機の商品収納ラックに関するものである。
【背景技術】
【０００２】
従来、自動販売機に関し、紙パック、缶、ビンあるいはペットボトルなどの各種商品を収納する商品収納ラックが知られている。商品収納ラックは、商品を上下方向に積み上げて収納するラックケースを有し、販売指令に応じて商品を下から１つずつ切り出して搬出するものである。ラックケースは、前方が前面扉によって開閉可能とされた断熱筐体をなす自動販売機の本体キャビネットに対して収容してあり、当該本体キャビネットの前方に引き出し可能に設けてある。そして、ラックケースは、本体キャビネットの前方に引き出された形態において、側部開口から商品を積み上げて収納される。このラックケースには、積み上げて収納された商品が側部開口から崩れ落ちる事態を防止するために側部開口を閉塞する扉体を設けてある。扉体は、上下に延在する回動軸をラックケースの上下位置に設けた軸受孔に挿通支持してあって側部開口を開閉する態様で揺動するものである。また、ラックケースには、収納された各種商品の大きさに合わせて商品の商品収納領域を画成する規制部材を設けてある。この規制部材は、ラックケース内に配置されてあり、小型の商品を収納する場合に閉塞位置にある扉体側に商品を寄せることで小型の商品に合わせて商品収納領域の大きさを画成するものである（例えば、特許文献１参照）。
【０００３】
【特許文献１】特開２００２−１８３８２２号公報
【発明の開示】
【発明が解決しようとする課題】
【０００４】
従来の自動販売機の商品収納ラックでは、規制部材が扉体との間で商品収納領域を画成している。このため、小型の商品においては、扉体側に偏った状態でラックケースに収納されることになる。この結果、販売指令に応じて商品を搬出するときに、当該商品が扉体側に偏ったまま搬出されることになるので搬出不良が生じるおそれがある。
【０００５】
本発明は、上記実情に鑑みて、商品の大きさに合わせた商品収納領域を画成する際に、当該商品の収納位置が偏ることなく収納することができ、かつ、画成した商品収納領域を常に再現することができる自動販売機の商品収納ラックを提供することを目的とする。
【課題を解決するための手段】
【０００６】
上記の目的を達成するために、本発明の請求項１に係る自動販売機の商品収納ラックは、側部開口から商品を積み上げて収納されるラックケースと、前記ラックケースに収納した商品を支持する態様で前記側部開口を閉塞する閉塞位置に移動可能に設けた扉体と、前記扉体との間で商品の大きさに合わせた商品収納領域を前記ラックケース内に画成する規制部材とを有した自動販売機の商品収納ラックにおいて、前記ラックケースの内方に進入した閉塞位置を含む複数の閉塞位置にて前記扉体を係止する係止手段と、前記係止手段によって係止される前記扉体の閉塞位置を選択的に設定する設定手段とを備えたことを特徴とする。
【０００７】
本発明の請求項２に係る自動販売機の商品収納ラックは、上記請求項１において、前記係止手段は、前記扉体に設けた係合片と、前記ラックケースに設けてあって前記扉体の複数の閉塞位置に対応して前記係合片を挿入係止する複数の係合溝とを有してなり、前記設定手段は、選択した係合溝にのみ前記係合片を係合する態様で他の係合溝への前記係合片の係合を阻止する係合案内部を有してなることを特徴とする。
【発明の効果】
【０００８】
本発明に係る自動販売機の商品収納ラックは、係止手段によってラックケースの内方に進入した閉塞位置を含む複数の閉塞位置にて扉体を係止することにより、扉体と規制部材との間で商品をラックケースのほぼ中央に位置させる態様で商品収納領域を画成する。この結果、ラックケースの内部に商品の収納位置が偏ることなく収納することが可能になり、商品を搬出するときに当該商品が偏って搬出されることがなく搬出不良を生じない。さらに、設定手段によって、係止手段によって係止される前記扉体の閉塞位置を選択的に設定することにより、選択した扉体の閉塞位置を変えることがないので、搬出不良を生じないように画成した商品収納領域を常に再現することができ、ラックケースへの商品補充後に扉体を閉じる際、扉体を誤った閉塞位置に係止してしまう誤設定による搬出不良を無くすことが可能となる。
【発明を実施するための最良の形態】
【０００９】
以下に添付図面を参照して、本発明に係る自動販売機の商品収納ラックの好適な実施例を詳細に説明する。なお、この実施例によりこの発明が限定されるものではない。
【実施例】
【００１０】
図１は本発明に係る商品収納ラックを備えた自動販売機の一例を示す斜視図、図２は本発明に係る商品収納ラックを示す斜視図、図３はベンド機構の動作を示す側面図、図４は本発明に係る商品収納ラックにおける規制部材を示す平面図、図５は本発明の商品収納ラックにおける扉体の構成を示す分解斜視図、図６は扉体の第１閉塞位置および第２閉塞位置を示す平面図、図７は扉体の第１閉塞位置を示す側面図、図８は扉体の第２閉塞位置を示す側面図、図９は扉体の開放状態を示す側面図である。
【００１１】
ここで例示する自動販売機は、紙パック、缶、ビンあるいはペットボトルなどの各種商品を販売するためのもので、図１に示すように本体キャビネット１、外扉２および断熱扉３を備えている。
【００１２】
本体キャビネット１は、複数の鋼板を適宜組み合わせることによって構成したもので、前面が開口した直方状を成している。この本体キャビネット１の内部（機内）には、商品収納庫４を設けてある。商品収納庫４は、複数（本実施例では２つ）の独立した収納庫４ａ，４ｂを並設してある。
【００１３】
商品収納庫４は、商品Ｗを所望の温度に維持した状態で収容するためのもので、前面に開口を有している。商品収納庫４内のそれぞれの上方部には、後述する商品収納ラック１０を複数配設してある。商品収納ラック１０は、本実施例では各収納庫４ａ，４ｂにそれぞれ２つずつ収容してあり計４つ設けてある。各商品収納ラック１０の下側には、当該商品収納ラック１０から切り出した商品Ｗを商品収納庫４の前方に搬出するシュータ５を設けてある。
【００１４】
商品収納庫４内のシュータ５によって区画される下方部には、熱交換器を配設してある。例えば正面向かって左側に位置する収納庫４ａが冷却専用としてある場合には、図には明示しないが熱交換器として冷却ユニットの蒸発器、並びに庫内ファンや庫内ファン用モータを備える。これに対して例えば右側に位置する収納庫４ｂが冷却／加温切り換え可能としてある場合には、図には明示しないが熱交換器として冷却ユニットの蒸発器、並びに庫内ファンや庫内ファン用モータに加えて加熱ヒータを備える。
【００１５】
上記商品収納庫４（４ａ，４ｂ）の下方となる位置には、機械室６を設けてある。機械室６は、上述した収納庫４ａ，４ｂで共通に使用する機械部品を収容するためのものである。図には明示しないが機械室６には、圧縮機、凝縮器および膨張器といった冷却ユニットの構成部品、並びに庫外ファンや庫外ファン用モータを配設してある。膨張器から各収納庫４ａ，４ｂに配設した蒸発器に至る冷媒供給管には、駆動する蒸発器を選択するための電磁バルブを個別に設けてある。
【００１６】
外扉２は、本体キャビネット１の前面開口を覆うに十分な大きさを有したもので、鋼材により堅牢に構成してあり、本体キャビネット１の一側縁部に支承してある。この外扉２には、商品取出口２ａを設けてある。外扉２の前面（外面）には、図には明示しないが商品見本などを視認させるディスプレイウィンドや、商品を販売するための硬貨投入口、紙幣挿入口、表示器、硬貨返却口および商品選択ボタンなどを設けてある。一方、外扉２の背面（内面）側には、図には明示しないが硬貨処理機、硬貨回収箱および紙幣処理機などを設けてある。
【００１７】
自動販売機の断熱扉３は、本体キャビネット１に設けた商品収納庫４（４ａ，４ｂ）の前面の開口を覆うに十分な大きさを有したもので、鋼材によって断熱性を備えて構成してある。断熱扉３は、商品収納庫４の前面開口を密閉状態に閉塞することによって商品収納庫４内を外部から断熱する。この断熱扉３には、シュータ５から導かれた商品Ｗを外扉２の商品取出口２ａに搬出する搬出扉３ａを設けてある。
【００１８】
以下、商品収納ラック１０について説明する。図１に示すように商品収納ラック１０は、上述した自動販売機における本体キャビネット１の内部に吊り下げて設けてあり、図には明示しないレールなどによって前面開口から前方に引き出し可能に配設してある。図２示すように商品収納ラック１０には、商品Ｗを収納する複数のラックケース１１を設けてある。ラックケース１１は、商品収納ラック１０の引き出し方向に複数並設してある。本実施例におけるラックケース１１は、商品収納ラック１０の引き出し方向に対向する前板１２ａおよび後板１２ｂを有し、前板１２ａと後板１２ｂとの間の一側を閉塞する側板１２ｃを有して他側に側部開口１２ｄをなす平面視で略コ字状のフレーム１２を形成してある。そして、前板１２ａと後板１２ｂとの間を仕切部１３で仕切ることによって商品収納ラック１０の引き出し方向に並ぶ２つのラックケース１１，１１を一体に構成してある。仕切部１３の下端部には、ベンド機構１４を設けてある。そして、ラックケース１１には、側部開口１２ｄより商品Ｗ（例えば紙パック商品あるいは缶商品など）が積み上げて収納される。
【００１９】
図２および図３に示すようにベンド機構１４は、下フラッパ１４ａと上フラッパ１４ｂとを有している。下フラッパ１４ａおよび上フラッパ１４ｂは、それぞれラックケース１１の内部に突出する突出位置と、ラックケース１１の内部から退避する退避位置とに移動可能に設けてある。下フラッパ１４ａおよび上フラッパ１４ｂは、モータやソレノイドなどの駆動部（図示せず）によって突出位置と退避位置とに移動する。
【００２０】
商品Ｗをラックケース１１に収納している販売待機状態では、図２および図３（ａ）に示すようにベンド機構１４は、下フラッパ１４ａが突出位置にあって、上フラッパ１４ｂが退避位置にある。この販売待機状態のときベンド機構１４は、図３（ａ）に示すように突出位置にある下フラッパ１４ａによって最下の商品Ｗを保持することによってその上の全ての商品Ｗを保持している。ここで、自動販売機に貨幣が投入されて商品選択ボタンが選択されて販売指令が入力されると、ベンド機構１４は、販売状態になる。この販売状態のときベンド機構１４は、図３（ｂ）に示すように、まず上フラッパ１４ｂが突出位置になって下から２番目の商品Ｗを保持し、次に下フラッパ１４ａが退避位置になって最下の商品Ｗのみを落下させる。その後、下フラッパ１４ａを突出位置に戻してから上フラッパ１４ｂを退避位置に戻して再び販売待機状態に至る。このように、ベンド機構１４は、販売指令に応じて最下の商品Ｗのみを搬出する。ラックケース１１から落下した商品Ｗは、図１に示すシュータ５で滑落して断熱扉３の搬出扉３ａを経て外扉２の商品取出口２ａに至る。なお、図３では、商品Ｗの一例として紙パック商品Ｗを図示している。販売状態のとき、紙パック商品Ｗを上フラッパ１４ｂで保持する場合は、当該紙パック商品Ｗの側部を押す態様で保持する。その他、販売状態のとき、例えば図２で示す缶商品Ｗを上フラッパ１４ｂで保持する場合は、当該缶商品Ｗを下側から支える態様で保持する。
【００２１】
また、図４に示すように、ラックケース１１には、大きさの異なる各種商品に対応するための規制部材１５を備えている。規制部材１５は、第１規制部材１５１と第２規制部材１５２とを有している。
【００２２】
第１規制部材１５１は、ラックケース１１におけるフレーム１２の前板１２ａから仕切部１３の間隔や、後板１２ｂから仕切部１３の間隔を変えて商品収納領域の大きさを可変することで当該商品収納領域を商品Ｗの幅方向に合わせるものである。この第１規制部材１５１は、前板１２ａや後板１２ｂに沿って上下方向に長手状に延在してなり、前板１２ａや後板１２ｂに設けたリンク機構（図示せず）によって仕切部１３に向けて商品Ｗの幅方向に移動するように構成してある。第１規制部材１５１の移動は、商品Ｗの幅方向に多段階に調節可能である。例えば、図４に示す左側のラックケース１１に大型の商品Ｗを収納する場合には、第１規制部材１５１を仕切部１３から離間して前板１２ａ側に寄せた位置に移動させて、商品収納領域を大型の商品Ｗの幅に合わせる。一方、図４に示す右側のラックケース１１に小型の商品Ｗを収納する場合には、第１規制部材１５１を仕切部１３に近接して後板１２ｂから遠ざけた位置に移動させて、商品収納領域を小型の商品Ｗの幅に合わせる。
【００２３】
第２規制部材１５２は、ラックケース１１におけるフレーム１２の側板１２ｃから側部開口１２ｄの間隔を変えて商品収納領域の大きさを可変することで当該商品収納領域を商品Ｗの長さ方向に合わせるものである。この第２規制部材１５２は、側板１２ｃに沿って上下方向に長手状に延在してなり、フック状の係止部１５２ａを有している。係止部１５２ａは、仕切部１３や第１規制部材１５１にて商品Ｗの長さ方向に複数設けた係止孔（図示せず）に係止する。すなわち、第２規制部材１５２は、商品Ｗの長さ方向に多段階に調節可能に移動できる。例えば、図４に示す左側のラックケース１１に大型の商品Ｗを収納する場合には、第２規制部材１５２を側部開口１２ｄから離間して側板１２ｃ側に寄せた位置で仕切部１３に係止して、商品収納領域を大型の商品Ｗの長さに合わせる。一方、図４に示す右側のラックケース１１に小型の商品Ｗを収納する場合には、第２規制部材１５２を側部開口１２ｄに近接して側板１２ｃから遠ざけた位置で第１規制部材１５１に係止して、商品収納領域を小型の商品Ｗの長さに合わせる。
【００２４】
図１、図４および図５に示すように上記ラックケース１１には、側部開口１２ｄから積み上げて収納された商品Ｗが、側部開口１２ｄから崩れ落ちる事態を防止するために当該側部開口１２ｄを閉塞する扉体１６を設けてある。なお、図５では、１つのラックケース１１の側部開口１２ｄに対応する１つの扉体１６を示してある。
【００２５】
図５に示すように扉体１６は、ほぼ板状を呈してあり、その側端部に上下に延在する回動軸１６１を設けてある。本実施例における回動軸１６１は、扉体１６の上側に延在して設けた上回動軸１６１ａと、扉体１６の下側に延在して設けた下回動軸１６１ｂとからなる。各回動軸１６１ａ，１６１ｂは、上下方向に延在する同じ軸線上に配設してある。なお、図５に示す回動軸１６１（１６１ａ，１６１ｂ）は、板金を円筒状に湾曲形成してなるものであるが、棒状に形成してあってもよい。
【００２６】
また、扉体１６には、板状の上端から上方に延在した板片状の係合片１６２を設けてある。この係合片１６２は、扉体１６の上端から上方に延在する幅狭の挿通部１６２ａと、当該挿通部１６２ａから上方に延在して上回動軸１６１ａから離間する方向に幅広の係合部１６２ｂとを有してなる。また、扉体１６の板状の下端部であって下回動軸１６１ｂの近傍位置には、略水平な下端縁部１６３を設けてある。
【００２７】
上記扉体１６は、回動軸１６１（１６１ａ，１６１ｂ）が、ラックケース１１の上下位置に対向して設けた１対の軸受孔（上軸受孔１７１，下軸受孔１８１）にそれぞれ挿通支持されて、側部開口１２ｄを開閉する態様で揺動可能に配設される。
【００２８】
上軸受孔１７１は、ラックケース１１をなすフレーム１２の上側の開口を閉塞する板状の上板１７に穿設してある。上軸受孔１７１は、上回動軸１６１ａを挿通し得る円孔をなしている。
【００２９】
下軸受孔１８１は、ラックケース１１をなすフレーム１２の下端部において側部開口１２ｄを跨ぐ態様で設けた下端フレーム１８に設けてある。下端フレーム１８は、上方に延在する板状の基板（図示せず）の上端をほぼ水平方向に折曲形成した部分である。下軸受孔１８１は、この水平部分に穿設してある。下軸受孔１８１は下回動軸１６１ｂを挿通し得る矩形状をなしている。なお、下軸受孔１８１を設けてある下端フレーム１８には、上向きに折曲形成した案内規制片１８２を設けてある。この案内規制片１８２は、閉塞位置にある扉体１６の下端縁部１６３に当接する第１当接部１８２ａと、第１当接部１８２ａの上縁をなし開放中の扉体１６の下端縁部１６３を載せて扉体１６の開放を案内する案内縁部１８２ｂと、第１当接部１８２ａよりも上方に延在してなり所定の開放位置にある扉体１６の下端縁部１６３に当接する第２当接部１８２ｃとを設けてある。
【００３０】
ところで、上軸受孔１７１を設けてある上板１７には、挿通溝１７２を設けてある。挿通溝１７２は、上軸受孔１７１を中心とした円弧状をなし、側部開口１２ｄの開口方向に開口して形成してある。この挿通溝１７２は、扉体１６の揺動にともなって移動する係合片１６２の挿通部１６２ａを挿通する。さらに、上板１７には、複数（本実施例では２つ）の係合溝（第１係合溝１７３ａおよび第２係合溝１７３ｂ）を設けてある。第１係合溝１７３ａおよび第２係合溝１７３ｂは、上軸受孔１７１の径外方向であって挿通溝１７２の円弧状の放射方向に延在して、当該挿通溝１７２に連続して形成してある。第１係合溝１７３ａと第２係合溝１７３ｂとは、扉体１６の揺動にともなって移動する係合片１６２の係合部１６２ｂを係合して扉体１６を第１閉塞位置と第２閉塞位置とに係止する。
【００３１】
ここで、扉体１６の第１閉塞位置は、図４および図６（ａ）に示すように係合部１６２ｂが第１係合溝１７３ａに係合した場合に、扉体１６が側部開口１２ｄとほぼ平行になる閉塞位置である。第１閉塞位置にある扉体１６は、図４に示す左側のラックケース１１に収納した大型の商品Ｗに適用されて、側板１２ｃ（あるいは第２規制部材１５２）との間で商品収納領域を画成し、当該商品Ｗが側部開口１２ｄから崩れ落ちる事態を防止する。
【００３２】
また、扉体１６の第２閉塞位置は、図４および図６（ｂ）に示すように係合部１６２ｂが第２係合溝１７３ｂに係合した場合に、扉体１６が側部開口１２ｄからラックケース１１の内方に進入する閉塞位置である。第２閉塞位置にある扉体１６は、図４に示す右側のラックケース１１に収納した小型の商品Ｗに適用されて、第２規制部材１５２との間で小型の商品Ｗの長さ方向をラックケース１１のほぼ中央に位置させる態様で商品収納領域を画成し、当該商品Ｗが側部開口１２ｄから崩れ落ちる事態を防止する。
【００３３】
このように、扉体１６に設けた係合片１６２の係合部１６２ｂ、および各係合溝１７３ａ，１７３ｂは、扉体１６の第２規制部材１５２に対する間隔を可変して、扉体１６と第２規制部材１５２との間で画成する商品収納領域を可変する態様で扉体１６を複数の閉塞位置（第１閉塞位置または第２閉塞位置）に係止する係止手段をなす。
【００３４】
また、図５および図６に示すように上板１７には、設定手段を配置してある。設定手段は、上記係止手段による扉体１６の各閉塞位置を選択的に設定するものである。設定手段は、摺動部材１９に係合案内部１９１を設けてなる。
【００３５】
摺動部材１９は、上板１７の上側に設けてある。この摺動部材１９は、板体を略Ｚ字状に折曲することによって、上板１７の上面に摺接して配置された脚部１９２と、上板１７の上面から間隔をおいて平行に配置された腕部１９３とを一体に有してなる。脚部１９２には、上板１７に設けた長孔１７４に当該上板１７の下面から貫通した手動ネジ１９４が螺着してある。長孔１７４は、ラックケース１１の前後方向に延在して設けてある。一方、腕部１９３には、ラックケース１１の前後方向に延在した長孔１９５を設けてある。この長孔１９５には、腕部１９３と上板１７との間隔を維持する段付ネジ１９６が係合してある。すなわち、摺動部材１９は、手動ネジ１９４を緩めることによって各長孔１７４，１９５に案内されてラックケース１１の前後方向に移動可能になる。そして、手動ネジ１９４を締めることによって移動した位置で固定される。
【００３６】
係合案内部１９１は、腕部１９３に設けてあり、側部開口１２ｄの開口方向に開口して切り欠いて形成してある。この係合案内部１９１は、当接片１９１ａと、遮蔽片１９１ｂと、連通溝１９１ｃとを有してなる。当接片１９１ａは、図６（ａ）に示すように上板１７に設けた挿通溝１７２における第２係合溝１７３ｂ側を上方から覆い、かつ、第１係合溝１７３ａの上方を覆うことのないように形成してある。遮蔽片１９１ｂは、図６（ｂ）に示すように第１係合溝１７３ａの上方を覆い、かつ、当接片１９１ａとの間に挿通溝１７２の上方を覆うことのない間隔を有するように形成してある。連通溝１９１ｃは、図６（ｂ）に示すように当接片１９１ａと遮蔽片１９１ｂとの間の間隔から連続して第２係合溝１７３ｂに対して上下方向に連通するように当該第２係合溝１７３ｂを象る形状に形成してある。
【００３７】
上記係合案内部１９１は、摺動部材１９の移動にともなって作用する。具体的には、図６（ａ）に示すように摺動部材１９をラックケース１１の前方（図６（ａ）の矢印Ａ方向）に移動した場合、当接片１９１ａが挿通溝１７２の第２係合溝１７３ｂ側を上方から覆い、遮蔽片１９１ｂが第１係合溝１７３ａの上方から退き、さらに、連通溝１９１ｃが第２係合溝１７３ｂの上方から退く位置になる。
【００３８】
このとき、図６（ａ）および図７に示すように、当接片１９１ａが挿通溝１７２の第２係合溝１７３ｂ側を覆っているので、扉体１６における係合片１６２の挿通部１６２ａは、当接片１９１ａに当接して第２係合溝１７３ｂ側に至らない。さらに、遮蔽片１９１ｂが第１係合溝１７３ａの上方から退いているので、扉体１６における係合片１６２の係合部１６２ｂは、第１係合溝１７３ａに係合可能になる。すなわち、設定手段は、係合片１６２を第１係合溝１７３ａに係合させて扉体１６を第１閉塞位置で係止させる一方、係合片１６２が第２係合溝１７３ｂに係合することを阻止して扉体１６を第２閉塞位置で係止しないようにする。この結果、扉体１６は、第１閉塞位置のみに係止されることになる。
【００３９】
また、上記係合案内部１９１は、図６（ｂ）に示すように摺動部材１９をラックケース１１の後方（図６（ｂ）の矢印Ｂ方向）に移動した場合、当接片１９１ａが挿通溝１７２の上方から退き、遮蔽片１９１ｂが第１係合溝１７３ａの上方を覆い、さらに、連通溝１９１ｃが第２係合溝１７３ｂに連通する位置になる。
【００４０】
このとき、図６（ｂ）および図８に示すように、当接片１９１ａが挿通溝１７２の上方から退いているので、扉体１６における係合片１６２の挿通部１６２ａは、第２係合溝１７３ｂ側に挿通可能になる。さらに、遮蔽片１９１ｂが第１係合溝１７３ａの上方を覆って、連通溝１９１ｃが第２係合溝１７３ｂに連通する位置にあるので、扉体１６における係合片１６２の係合部１６２ｂは、第２係合溝１７３ｂに係合可能になる。すなわち、設定手段は、係合片１６２を第２係合溝１７３ｂに係合させて扉体１６を第２閉塞位置で係止させる一方、係合片１６２が第１係合溝１７３ａに係合することを阻止して扉体１６を第１閉塞位置で係止しないようにする。この結果、扉体１６は、第２閉塞位置のみに係止されることになる。
【００４１】
なお、上記第１閉塞位置あるいは第２閉塞位置から扉体１６を開放状態にするには、図９に示すように扉体１６全体を上方に持ち上げる。すると、係合片１６２の係合部１６２ｂが第１係合溝１７３ａあるいは第２係合溝１７３ｂの係合から離脱し、挿通部１６２ａが挿通溝１７２を通過する形態となる。すなわち、挿通部１６２ａが挿通溝１７２から抜けて扉体１６が開放状態になる。このとき、扉体１６の回動軸１６１は、上板１７と摺動部材１９の腕部１９３との間隔によって上回動軸１６１ａの上方への移動を許容され、かつ、上回動軸１６１ａが腕部１９３に当接することによって下回動軸１６１ｂが下軸受孔１８１から抜け出ることがない。そして、扉体１６を開放方向に揺動すると、下端縁部１６３が案内規制片１８２の案内縁部１８２ｂの上に載ることによって、扉体１６は、全体を上方に持ち上げられた形態で開放を案内される。さらに開放方向に扉体１６を揺動すると下端縁部１６３が第２当接部１８２ｃに当接して扉体１６が全開放状態になる。この扉体１６の開放状態のときに、ラックケース１１への商品Ｗの補充が行われる。
【００４２】
一方、開放状態から扉体１６を閉塞方向に揺動すると、下端縁部１６３が案内縁部１８２ｂの上に載っているので、その揺動が案内される。そして、扉体１６が閉塞位置に至るとき、下端縁部１６３が案内縁部１８２ｂの上から第１当接部１８２ａの側部開口１２ｄ側に落ちる。このとき、扉体１６は、設定手段で設定した第１閉塞位置あるいは第２閉塞位置に係止されて、当該閉塞位置を維持されることになる。
【００４３】
このように上述した自動販売機の商品収納ラックは、扉体１６に設けた係合片１６２と、扉体１６がラックケース１１の内方に進入した閉塞位置を含む複数の閉塞位置にて当該扉体１６を係止するように係合片１６２を係合する複数の係合溝１７３ａ，１７３ｂとからなる係止手段を備えている。すなわち、係止手段は、扉体１６を移動させることで当該扉体１６と規制部材１５（第２規制部材１５２）との間隔を可変している。このため、扉体１６と規制部材１５（第２規制部材１５２）との間で商品Ｗの長さ方向をラックケース１１のほぼ中央に位置させる態様で商品収納領域を画成する。この結果、ラックケース１１の内部に商品Ｗの収納位置が偏ることなく収納することが可能になり、商品Ｗを搬出するときに当該商品Ｗが偏って搬出されることがなく搬出不良を生じない。
【００４４】
さらに、上述した自動販売機の商品収納ラックでは、選択した係合溝１７３ａ（あるいは１７３ｂ）にのみ係合片１６２を係合するように他の係合溝１７３ｂ（あるいは１７３ａ）への係合片１６２の係合を阻止する係合案内部１９１を有した設定手段を備えている。すなわち、設定手段は、係止手段による扉体１６の閉塞位置を選択的に設定する。この結果、選択した扉体１６の閉塞位置を変えることがないので、搬出不良を生じないように画成した商品収納領域を常に再現することが可能になる。
【図面の簡単な説明】
【００４５】
【図１】本発明に係る商品収納ラックを備えた自動販売機の一例を示す斜視図である。
【図２】本発明に係る商品収納ラックを示す斜視図である。
【図３】ベンド機構の動作を示す側面図である。
【図４】本発明に係る商品収納ラックにおける規制部材を示す平面図である。
【図５】本発明の商品収納ラックにおける扉体の構成を示す分解斜視図である。
【図６】扉体の第１閉塞位置および第２閉塞位置を示す平面図である。
【図７】扉体の第１閉塞位置を示す側面図である。
【図８】扉体の第２閉塞位置を示す側面図である。
【図９】扉体の開放状態を示す側面図である。
【符号の説明】
【００４６】
１０    商品収納ラック
１１    ラックケース
１２    フレーム
１２ａ    前板
１２ｂ    後板
１２ｃ    側板
１２ｄ    側部開口
１３    仕切部
１４    ベンド機構
１４ａ    下フラッパ
１４ｂ    上フラッパ
１５    規制部材
１５１    第１規制部材
１５２    第２規制部材
１５２ａ    係止部
１６    扉体
１６１    回動軸
１６１ａ    上回動軸
１６１ｂ    下回動軸
１６２    係合片
１６２ａ    挿通部
１６２ｂ    係合部
１６３    下端縁部
１７    上板
１７１    上軸受孔
１７２    挿通溝
１７３ａ    第１係合溝
１７３ｂ    第２係合溝
１７４    長孔
１８    下端フレーム
１８１    下軸受孔
１８２    案内規制片
１８２ａ    第１当接部
１８２ｂ    案内縁部
１８２ｃ    第２当接部
１９    摺動部材
１９１    係合案内部
１９１ａ    当接片
１９１ｂ    遮蔽片
１９１ｃ    連通溝
１９２    脚部
１９３    腕部
１９４    手動ネジ
１９５    長孔
１９６    段付ネジ
Ｗ    商品
【図１】
2006011611.tif 000003
【図２】
2006011611.tif 000004
【図３】
2006011611.tif 000005
【図４】
2006011611.tif 000006
【図５】
2006011611.tif 000007
【図６】
2006011611.tif 000008
【図７】
2006011611.tif 000009
【図８】
2006011611.tif 000010
【図９】
2006011611.tif 000011